【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
ネットワーク内においてデバイスの位置を突き止めるシステムであって、前記ネットワークが、宛先デバイスが取り付けられた少なくとも１つのネットワーク経路に接続されているソース・デバイスを有し、前記システムが、
前記少なくとも１つのネットワーク経路上にあり、識別コードを有する電子モジュールを含むポートを備え、
前記宛先デバイスは、識別コードを有する電子モジュールを含み、
前記ソース・デバイスは、前記少なくとも１つのネットワーク経路に対応する前記ポートおよび前記宛先デバイスにアドレスされたクエリ信号を、前記少なくとも１つのネットワーク経路に沿って送ることができ、
前記ポートに対応する前記電子モジュールは、前記ポートにアドレスされた前記クエリに対し、ポート送信において、その識別コードを前記ソース・デバイスに送信することにより応答し、
前記宛先デバイスの前記電子モジュールは、前記宛先デバイスにアドレスされた前記クエリに対し、宛先デバイス送信において、その識別コードを前記ソース・デバイスに送信することにより応答し、
前記ソース・デバイスは、前記ポート送信および前記宛先デバイス送信の双方が、前記ソース・デバイスにおいて受信されない場合、前記クエリ信号を再度送るように構成されている、システム。
【請求項２】
請求項１記載の文書化システムにおいて、前記ポートは、パッチ・パネル・ポートである、文書化システム。
【請求項３】
請求項１記載の文書化システムにおいて、前記ポートは、前記宛先デバイスに直接接続されている出口ポートである、文書化システム。
【請求項４】
請求項３記載の文書化システムにおいて、前記出口ポートは壁付コンセントである、文書化システム。
【請求項５】
複数のネットワーク経路に接続されたソース・デバイスを有するネットワークのための文書化システムであって、
前記ネットワーク経路の少なくとも１つに対応するポートと、
前記少なくとも１つのネットワーク経路に沿って、前記ポートに結合されている宛先デバイスと、
前記ポートに関連した電子モジュールであって、識別コードを有する、電子モジュールと、
前記宛先デバイスに関連した電子モジュールであって、識別コードを有する、電子モジュールと、
前記ソース・デバイスと関連し、前記ネットワーク経路のそれぞれに沿ってクエリ信号を送信する送信機と、
前記ソース・デバイスと関連し、前記ネットワーク経路の前記それぞれから応答信号を受信する受信機と、
を備え、
前記電子モジュールの各々は、特定のクエリを、その識別コードに対応するものとして認識し、クエリ信号の送信に対し、その識別コードを有する応答信号を前記ソース・デバイスに返送することにより応答することができ、前記ソース・デバイスは、応答信号を受信しなかった場合、前記クエリ信号の１つを再送信するように構成されている、文書化システム。
【請求項６】
請求項５記載の文書化システムにおいて、前記ポートは、パッチ・パネル・ポートである、文書化システム。
【請求項７】
請求項５記載の文書化システムにおいて、前記ポートは出口ポートである、文書化システム。
【請求項８】
請求項７記載の文書化システムにおいて、前記出口ポートは壁付コンセントである、文書化システム。
【請求項９】
ネットワーク内においてデバイスを特定し、その位置を突き止める方法であって、
ソース・デバイスから、該ソース・デバイスと通信状態にあるポートと、該ポートに接続された宛先デバイスとを有するネットワーク経路に沿ってクエリを送るステップであって、前記ポートは、それに関連したポート電子モジュールを有し、前記宛先デバイスは、それに関連した宛先デバイス電子モジュールを有し、前記電子モジュールの各々は、それに関連した識別コードを有する、ステップと、
前記ポートにおいて前記クエリを受信するステップと、
前記ポートから前記ソース・デバイスに、前記ポート電子モジュールに関連した前記識別コードを収容したポート応答信号を送ることにより、前記クエリに応答するステップと、
前記宛先デバイスにおいて、前記クエリを受信するステップと、
前記宛先デバイスから前記ソース・デバイスに、前記宛先デバイス電子モジュールに関連した前記識別コードを収容した宛先デバイス応答信号を送ることにより、前記クエリに応答するステップと、
前記ソース・デバイスにおいて、前記ポート応答信号および前記宛先デバイス応答信号を監視するステップと、
前記ポート応答信号または前記宛先デバイス応答信号のいずれも前記ソース・デバイスによって受信されない場合、前記クエリを前記ソース・デバイスから前記ネットワーク経路に沿って再度送るステップと、
を備えた、方法。
【請求項１０】
請求項９記載の方法において、前記ポート応答信号を送ることにより前記クエリに応答する前記ステップは、前記宛先デバイス応答信号を送ることにより前記クエリに応答する前記ステップの前に完了する、方法。
【請求項１１】
請求項９記載の方法において、前記宛先デバイス応答信号を送ることにより前記クエリに応答する前記ステップは、前記ポート応答信号を送ることにより前記クエリに応答する前記ステップの前に完了する、方法。
【請求項１２】
請求項９記載の方法において、前記ポートはパッチ・パネル・ポートである、方法。
【請求項１３】
請求項７記載の方法において、前記ポートは壁付コンセントである、方法。
【請求項１４】
第１端にあるソース・デバイスと、前記ネットワーク経路に沿ってポート電子モジュールを有するポートと、第２端において宛先デバイス電子モジュールを有する宛先デバイスとを備えたネットワーク経路を有するネットワーク・システムを文書化する方法であって、
前記ソース・デバイスからクエリ信号を送るステップと、
前記ソース・デバイスにおいて、前記ポートからのポート識別コードを含むポート応答信号と、前記宛先デバイスからの宛先デバイス識別コードを含む宛先デバイス応答信号とを監視するステップと、
前記ポート応答信号および前記宛先デバイス応答信号の双方が前記ソース・デバイスによって受信されない場合、前記クエリ信号を送る前記ステップを繰り返すステップと、
を備えた、方法。
【請求項１５】
請求項１４記載の方法において、前記ポートはパッチ・パネル・ポートである、方法。
【請求項１６】
請求項１４記載の方法において、前記ポートは出口ポートである、方法。
【請求項１７】
請求項６記載の方法において、前記出口ポートは壁付コンセントである、方法。
【請求項１８】
ネットワーク文書化システムであって、
クエリ信号を送るソース・デバイスと、
前記クエリ信号を搬送するネットワーク経路と、
前記ネットワーク経路に沿ったポートであって、該ポートは、当該ポートに関連したポート識別コードを格納したポート電子モジュールを備えており、該ポート電子モジュールは、前記クエリ信号に対し、前記ポート識別コードを含むポート応答信号を前記ソース・デバイスに前記ネットワーク経路に沿って送ることにより応答するように構成されている、ポートと、
前記ポートと通信状態にある宛先デバイスであって、該宛先デバイスは、当該宛先デバイスに関連した宛先デバイス識別コードを格納した宛先デバイス電子モジュールを備えており、該宛先デバイス電子モジュールは、前記クエリ信号に対し、前記宛先デバイス識別コードを含む宛先デバイス応答信号を前記ソース・デバイスに前記ネットワーク経路に沿って送ることにより応答するように構成されている、宛先デバイスと、
を備えている、ネットワーク文書化システム。
【請求項１９】
請求項１８記載のネットワーク文書化システムにおいて、前記ポートはパッチ・パネル内に位置する、ネットワーク文書化システム。
【請求項２０】
請求項１８記載のネットワーク文書化システムにおいて、前記ポートは、前記宛先デバイスに接続された出口ポートである、ネットワーク文書化システム。
【請求項２１】
請求項２０記載のネットワーク文書化システムにおいて、前記出口ポートは壁付コンセントである、ネットワーク文書化システム。
【請求項２２】
請求項１８記載のネットワーク管理システムにおいて、前記宛先デバイスは、ボイス・オーバー・インターネット・プロトコル電話機 である、ネットワーク管理システム。
【請求項２３】
請求項１８記載のネットワーク管理システムにおいて、前記ソース・デバイスは、クエリに続いて、応答信号が前記ソース・デバイスにおいて受信されない場合、前記クエリ信号を再度送るように構成されている、ネットワーク管理システム。
【請求項２４】
ネットワーク内においてデバイスの位置を突き止めるシステムであって、前記ネットワークが、宛先デバイスが接続された少なくとも１つのネットワーク経路に接続されているソース・デバイスを有し、前記システムが、
前記少なくとも１つのネットワーク経路上にあり、識別コードを有する電子モジュールを含むポートを備えており、
前記宛先デバイスは、識別コードを有する電子モジュールを含み、
前記ソース・デバイスは、前記少なくとも１つのネットワーク経路に沿ってクエリ信号を送ることができ、
前記ポートに対応する前記電子モジュールは、前記クエリに対し、その識別コードを前記ソース・デバイスに送信することにより応答し、
前記宛先デバイスの前記電子モジュールは、前記クエリに対し、その識別コードを前記ソース・デバイスに送信することにより応答し、
前記ソース・デバイスは、前記識別コード間で衝突が生じた場合、前記クエリ信号を再度送るように構成されている、システム。
【請求項２５】
請求項２４記載の文書化システムにおいて、前記ポートはパッチ・パネル・ポートである、文書化システム。
【請求項２６】
請求項２４記載の文書化システムにおいて、前記ポートは、前記宛先デバイスに直接接続された出口ポートである、文書化システム。
【請求項２７】
請求項２６記載の文書化システムにおいて、前記出口ポートは壁付コンセントである、文書化システム。
【請求項２８】
複数のネットワーク経路に接続されたソース・デバイスを有するネットワークのための文書化システムであって、
前記ネットワーク経路の少なくとも１つに対応するポートと、
前記少なくとも１つのネットワーク経路に沿って前記ポートに結合された宛先デバイスと、
前記ポートに関連する電子モジュールであって、識別コードを有する、電子モジュールと、
前記宛先デバイスに関連した電子モジュールであって、識別コードを有する、電子モジュールと、
前記ソース・デバイスと関連し、前記ネットワーク経路のそれぞれに沿ってクエリ信号を送信する送信機と、
前記ソース・デバイスと関連し、前記ネットワーク経路の前記それぞれからの応答信号を受信する受信機と、
を備え、
前記電子モジュールの各々は、クエリ信号の送信に対し、その識別コードを有する応答信号を前記ソース・デバイスに返送することにより応答することができ、前記ソース・デバイスは、応答信号を受信しない場合、前記クエリ信号の１つを再送信するように構成されている、文書化システム。
【請求項２９】
請求項２８記載の文書化システムにおいて、前記ポートはパッチ・パネル・ポートである、文書化システム。
【請求項３０】
請求項２８記載の文書化システムにおいて、前記ポートは、出口ポートである、文書化システム。
【請求項３１】
請求項３０記載の文書化システムにおいて、前記出口ポートは壁付コンセントである、文書化システム。
【請求項３２】
ネットワーク内においてデバイスを特定し位置を突き止める方法であって、
ソース・デバイスから、該ソース・デバイスと通信状態にあるポートと、該ポートと通信状態にある宛先デバイスとを有するネットワーク経路に沿って第１クエリを送るステップであって、該第１クエリは前記ポートに向けられ、該ポートにはポート電子モジュールが関連し、前記宛先デバイスには宛先デバイス電子モジュールが関連し、前記電子モジュールの各々は、それに関連した識別コードを有する、ステップと、
前記ソース・デバイスから前記宛先デバイスに向けた第２クエリを送るステップと、
前記ポートにおいて前記第１クエリを受信するステップと、
前記第１クエリに対し、前記ポートから前記ソース・デバイスに、前記ポート電子モジュールに関連した前記識別コードを収容したポート応答信号を送ることにより応答するステップと、
前記宛先デバイスにおいて前記第２クエリを受信するステップと、
前記第２クエリに対し、前記宛先デバイスから前記ソース・デバイスに、前記宛先デバイス電子モジュールに関連した前記識別コードを収容した宛先デバイス応答信号を送ることにより応答するステップと、
前記ソース・デバイスにおいて、前記ポート応答信号および前記宛先デバイス応答信号を監視するステップと、
前記ポート応答信号または前記宛先デバイス応答信号のいずれも前記ソース・デバイスによって受信されない場合、前記ソース・デバイスから前記ネットワーク経路に沿って前記第１および第２クエリを再度送るステップと、
を備えた、方法。
【請求項３３】
ネットワーク・システムであって、
ネットワーク経路と、
前記ネットワーク経路の一端にあり、前記ネットワーク経路を通じてクエリを送るように構成されているソース・デバイスと、
前記クエリを受信し、ポート識別信号で応答するように構成されている、前記ネットワーク経路に沿ったポートと、
前記クエリを受信し、宛先デバイス識別信号で応答するように構成されている、前記経路に沿った宛先デバイスと、
を備えた、ネットワーク・システム。